(57)【要約】【課題】人工によりダイナミック速度またはダイナミックテスト距離を制御するテスト問題を解決する電子タグのテスト装置およびその方法を提供すること。【解決手段】本発明に係る電子タグのテスト装置およびその方法は、搬送手段、整流手段および読み取りシステムを含み、該読み取りシステムは読み取り器および電子タグを含み、該電子タグが測定すべき物に取り付けられ、該読み取り器が該搬送手段に設けられ、該電子タグが発信するデータを読み取る。よって、該電子タグが測定すべき物上の各箇所の外面の信号強度を検知し、最適な電子タグ取り付け位置を探し出す。【選択図】図１
2008269355.tif 000002
【特許請求の範囲】
【請求項１】
搬送手段と、整流手段と、読み取りシステムと、を含み、
前記搬送手段はコンベヤが設けられ、
前記整流手段は、行進ガイド板、ガイド板ホルダ及びガイド板調整機が設けられ、
前記ガイド板調整機は、前記行進ガイド板の位置を調整するために、前記行進ガイド板の一側に接続され、
前記ガイド板ホルダは、前記ガイド板調整機の一端に接続され、該ガイド板ホルダがコンベヤの下方に固定されて行進ガイド板の位置を固定させ、
前記行進ガイド板は、前記搬送手段のコンベヤに載せられ、
前記読み取りシステムは、読み取り器及び電子タグを有し、前記電子タグが測定すべき物に取り付けられ、前記読み取り器が前記搬送手段に設けられ、前記電子タグが発信するデータを読み取り、
前記電子タグが測定すべき物上の各箇所の外面の信号強度を検知し、最適な電子タグ取り付け位置を探し出すことを特徴とする、電子タグのテスト装置。
【請求項２】
前記読み取りシステムの読み取り器は、高周波読み取り器であることを特徴とする請求項１記載の電子タグのテスト装置。
【請求項３】
前記読み取りシステムは、さらにパソコンシステムに接続され、前記パソコンシステム内にテストデータを収集するためのスタティックテストソフトウェア又はダイナミックテストソフトウェアが保存されていることを特徴とする請求項１記載の電子タグのテスト装置。
【請求項４】
前記搬送手段は、前記読み取り器の下方に中空状に設けられていることを特徴とする請求項１記載の電子タグのテスト装置。
【請求項５】
前記読み取りシステムの読み取り器が水平方式でコンベヤの上方に配置されたことを特徴とする請求項１又は２に記載の電子タグのテスト装置。
【請求項６】
前記読み取りシステムの読み取り器が垂直方式でコンベヤの上方に配置されたことを特徴とする請求項１又は２に記載の電子タグのテスト装置。
【請求項７】
読み取りシステムに接続されたパソコンシステムのソフトウェアが起動されるシステム起動ステップと、
整流手段中の行進ガイド板の一側にガイド板調整機が接続され、前記ガイド板調整機の一端にガイド板ホルダが接続され、前記ガイド板ホルダがコンベヤの下方に固定され、前記行進ガイド板がコンベヤに載せられ、前記読み取りシステムの電子タグが測定すべき物に取り付けられ、前記読み取りシステムの読み取り器が前記搬送手段に設けられ、前記整流手段中の測定しようとする距離及び測定すべきものの位置を位置決めさせ、並びに搬送手段の速度を設定するテスト条件設定ステップと、
ソフトウェア処理が実行され、搬送手段が起動され、かつ読み取り器及び電子タグの検知動作が実行されるとともに、検知結果がパソコンシステムに転送される測定開始ステップと、
パソコンシステムにより最適な電子タグ取り付け位置を判断する取り付け位置選出ステップとを含む電子タグのテスト方法。
【請求項８】
前記読み取りシステムの読み取り器は、高周波読み取り器であることを特徴とする請求項７記載の電子タグのテスト方法。
【請求項９】
前記読み取りシステムは、前記パソコンシステム内にテストデータを収集するためのスタティックテストソフトウェア又はダイナミックテストソフトウェアが保存されていることを特徴とする請求項７記載の電子タグのテスト方法。
【請求項１０】
前記搬送手段は、前記読み取り器の下方に中空状に設けられていることを特徴とする請求項７記載の電子タグのテスト方法。
【請求項１１】
前記読み取りシステムの読み取り器が水平方式でコンベヤの上方に配置されたことを特徴とする請求項７又は８に記載の電子タグのテスト方法。
【請求項１２】
前記読み取りシステムの読み取り器が垂直方式でコンベヤの上方に配置されたことを特徴とする請求項７又は８に記載の電子タグのテスト方法。
【発明の詳細な説明】
【技術分野】
【０００１】
本発明は、電子タグのテスト装置およびその方法に係り、特に、コンベヤに整流（バッフル）手段および読み取りシステムが設けられた設計により、スタティックおよびダイナミックの性能試験を行え、本発明が最適な電子タグ取り付け位置を探す効果を有するようになり、様々な電子タグを取付した品物や、パッケージまたは類似構造に適応できる。
【背景技術】
【０００２】
社会の進歩およびハイテク技術の発展に伴い、製品の数および品質管理において、早期の人工により数量を一々制御、管理することから、バーコードの設計が現れ、半人工状態により数量を制御、管理するように変えられ、さらにパソコンで製品のバーコードをスキャンニングし、該製品のバーコード端末に登録した製品情報を照会することまで演じられた。
【０００３】
現在のハイテク技術の発展において、RFID(Radio Frequency Identification)タグでバーコードを切り替えるような技術が発展され、該RFIDタグは、高容量および高誘導の効果を有し、該電子タグ内に製品の製品情報およびID情報などのデータが埋め込まれており、読み取り器により感知してから電子タグの内容およびID情報を読取でき、人工またはバーコードによる不便や情報保存し難いことを低下できる。
【０００４】
しかしながら、該RFIDタグは、その便利性を有することに対し不便もあり、該電子タグを取付した品物上の位置或いは品物の配置位置は、ともに電子タグが読み取り、感知されることに影響する要因になり、現在、電子タグを取り付ける時に、大体、先ずテストにより最適な取り付け位置を判断してから取り付けるが、ダイナミック状態下で、品物自体が動いている状態で測定しかできないため、目前ともに人工手動方式で読み取り器の先端に往復して通過させ、ダイナミック読み取り率或いは最大読取距離をテストし、人工手動方式でダイナミック速度またはダイナミックテスト距離を制御するため、テスト結果の再現性が極めて低く、非議を招き易い。
【発明の開示】
【発明が解決しようとする課題】
【０００５】
そのため、本発明者は、前記欠点を鑑み、テスト手順を簡易化させ、かつ費用が安く、使用者が最適な電子タグ取り付け位置を探し出し易いテスト装置の提供を期し、専念な観察かつ研究をし、さらに学術理論の運用に合せ、合理的に設計且つ組み立てし消費者に提供する。これは、本発明が創作しようとする動機である。
【０００６】
従って、本発明の主な目的は、今市場で人工によりダイナミック速度またはダイナミックテスト距離を制御するテスト問題を解決する電子タグのテスト装置およびその方法を提供した。
【０００７】
本発明の次の目的は、テスト装置によりRFID高周波性能テスト結果の再現性を大幅に向上させ、測定の便利性および実用性を向上させる電子タグのテスト装置およびその方法を提供した。
【０００８】
本発明の他の目的は、様々な高周波RFIDタグを取付した品物やパッケージ或いは類似構造により、高周波RFID読み取り器およびアンテナでダイナミック読取率をテストし、最適な電子タグ取り付け位置を探し出す。
【課題を解決するための手段】
【０００９】
前記目的を達成するために、本発明は、電子タグのテスト装置およびその方法であって、搬送手段、整流手段および読み取りシステムを含み、該搬送手段はコンベヤが設けられ、該整流手段は行進ガイド板、ガイド板ホルダおよびガイド板調整機が設けられ、該行進ガイド板の一側にガイド板調整機が接続され、該行進ガイド板の位置を調整し、該ガイド板調整機の一端にガイド板ホルダが接続され、該ガイド板ホルダがコンベヤの下方に固定され、行進ガイド板の位置を固定させ、該行進ガイド板が該搬送手段のコンベヤに載せられ、該読み取りシステムは読み取り器および電子タグを含み、該電子タグが測定すべき物に取り付けられ、該読み取り器が該搬送手段に設けられ、該電子タグが発信するデータを読み取り、よって、該電子タグが測定すべき物上の各箇所の外面の信号強度を検知し、最適な電子タグ取り付け位置を探し出す。
【００１０】
すなわち、本願の第１発明は、搬送手段と、整流手段と、読み取りシステムと、を含み、前記搬送手段はコンベヤが設けられ、前記整流手段は、行進ガイド板、ガイド板ホルダ及びガイド板調整機が設けられ、前記ガイド板調整機は、前記行進ガイド板の位置を調整するために、前記行進ガイド板の一側に接続され、前記ガイド板ホルダは、前記ガイド板調整機の一端に接続され、該ガイド板ホルダがコンベヤの下方に固定されて行進ガイド板の位置を固定させ、前記行進ガイド板は、前記搬送手段のコンベヤに載せられ、前記読み取りシステムは、読み取り器及び電子タグを有し、前記電子タグが測定すべき物に取り付けられ、前記読み取り器が前記搬送手段に設けられ、前記電子タグが発信するデータを読み取り、前記電子タグが測定すべき物上の各箇所の外面の信号強度を検知し、最適な電子タグ取り付け位置を探し出すことを特徴とする、電子タグのテスト装置であることを要旨としている。
【００１１】
また、本願の第２発明は、前記読み取りシステムの読み取り器は、高周波読み取り器であることを特徴とする本願の第１発明に記載の電子タグのテスト装置であることを要旨としている。
【００１２】
また、本願の第３発明は、前記読み取りシステムは、さらにパソコンシステムに接続され、前記パソコンシステム内にテストデータを収集するためのスタティックテストソフトウェア又はダイナミックテストソフトウェアが保存されていることを特徴とする本願の第１発明に記載の電子タグのテスト装置であることを要旨としている。
【００１３】
また、本願の第４発明は、前記搬送手段は、前記読み取り器の下方に中空状に設けられていることを特徴とする本願の第１発明に記載の電子タグのテスト装置であることを要旨としている。
【００１４】
また、本願の第５発明は、前記読み取りシステムの読み取り器が水平方式でコンベヤの上方に配置されたことを特徴とする本願の第１又は第２発明に記載の電子タグのテスト装置であることを要旨としている。
【００１５】
また、本願の第６発明は、前記読み取りシステムの読み取り器が垂直方式でコンベヤの上方に配置されたことを特徴とする本願の第１又は第２発明に記載の電子タグのテスト装置であることを要旨としている。
【００１６】
また、本願の第７発明は、読み取りシステムに接続されたパソコンシステムのソフトウェアが起動されるシステム起動ステップと、整流手段中の行進ガイド板の一側にガイド板調整機が接続され、前記ガイド板調整機の一端にガイド板ホルダが接続され、前記ガイド板ホルダがコンベヤの下方に固定され、前記行進ガイド板がコンベヤに載せられ、前記読み取りシステムの電子タグが測定すべき物に取り付けられ、前記読み取りシステムの読み取り器が前記搬送手段に設けられ、前記整流手段中の測定しようとする距離及び測定すべきものの位置を位置決めさせ、並びに搬送手段の速度を設定するテスト条件設定ステップと、ソフトウェア処理が実行され、搬送手段が起動され、かつ読み取り器及び電子タグの検知動作が実行されるとともに、検知結果がパソコンシステムに転送される測定開始ステップと、パソコンシステムにより最適な電子タグ取り付け位置を判断する取り付け位置選出ステップとを含む電子タグのテスト方法であることを要旨としている。
【００１７】
また、本願の第８発明は、前記読み取りシステムの読み取り器は、高周波読み取り器であることを特徴とする本願の第７発明に記載の電子タグのテスト方法であることを要旨としている。
【００１８】
また、本願の第９発明は、前記読み取りシステムは、前記パソコンシステム内にテストデータを収集するためのスタティックテストソフトウェア又はダイナミックテストソフトウェアが保存されていることを特徴とする本願の第７発明に記載の電子タグのテスト方法であることを要旨としている。
【００１９】
また、本願の第１０発明は、前記搬送手段は、前記読み取り器の下方に中空状に設けられていることを特徴とする本願の第７発明に記載の電子タグのテスト方法であることを要旨としている。
【００２０】
また、本願の第１１発明は、前記読み取りシステムの読み取り器が水平方式でコンベヤの上方に配置されたことを特徴とする本願の第７又は第８発明に記載の電子タグのテスト方法であることを要旨としている。
【００２１】
また、本願の第１２発明は、前記読み取りシステムの読み取り器が垂直方式でコンベヤの上方に配置されたことを特徴とする本願の第７又は第８発明に記載の電子タグのテスト方法であることを要旨としている。
【発明の効果】
【００２２】
以上から分かるように、本発明は、以下の利点がある。
（１）FID高周波性能テスト結果の再現性を大幅に向上する外には、測定の便利性および実用性をも向上させる。
（２）本装置の適応な周波数範囲は１〜２０MHZに達することができ、特定周波数や多重周波数への適応、或いは様々なパッケージおよび異なる材質の内容物、例えば金属や、液体、ガラス、プラスチックなどに配合できる。
（３）本装置により最適な電子タグ取り付け位置を探し出せる。
【発明を実施するための最良の形態】
【００２３】
本発明の他の特徴及び具体的な実施例は、後続の詳しく説明及び添付図面よりさらに了解できる。
【実施例】
【００２４】
図１は、本発明に係る電子タグのテスト装置の構造を示す図であり、図１に示すように、本テスト装置は、主に、搬送手段１０、整流手段２０および読み取りシステム３０を含む。
【００２５】
該搬送手段１０はコンベヤ１１が設けられ、該コンベヤ１１が変速、調整可能である。、
【００２６】
該整流手段２０は行進ガイド板２１、ガイド板ホルダ２２およびガイド板調整機２３が設けられ、該行進ガイド板２１が該搬送手段１０のコンベヤ１１に載せられ、該行進ガイド板２１の一側にガイド板調整機２３が接続され、該行進ガイド板２１の位置を調整し、該ガイド板調整機２３の一端にガイド板ホルダ２２が接続され、該ガイド板ホルダ２２がコンベヤ１１の下方に固定され、行進ガイド板２１の位置を固定させる。
【００２７】
該読み取りシステム３０は読み取り器３１および電子タグ３２を含み、該電子タグ３２が測定すべき物に取り付けられ、該読み取り器３１が該搬送手段１０に設けらる。
【００２８】
また、該読み取りシステム３０の読み取り器３１の下方が中空状に設けられ、該読み取り器３１が水平方式または垂直方式でコンベヤ１１の上方に配置され、該電子タグ３２が発信するデータを読み取り、該読み取りシステム３０の読み取り器３１は、高周波読み取り器３１で、該読み取りシステム３０は、さらにパソコンシステム３３に接続され、該パソコンシステム３３内にスタティック／ダイナミックテストソフトウェアが保存され、テストデータを収集する。
【００２９】
図２は、本発明に係る電子タグのテスト装置の構造の実施例を示す図であり、  図２に示すように、該テスト装置は、市販の様々なRFID(Radio Frequency Identification)高周波読み取り器３１および電子タグ３２に合わせて、高周波RFIDタグ３２を取付した品物がスタティック／ダイナミック時の重要性能データを測定する。
【００３０】
よって、該電子タグ３２が測定すべき物上の各箇所の外面の信号強度を判断し、最適な電子タグ３２取り付け位置を探し出し、実際に導入、適応する際の解決方案の参考や定め或いは問題解決に有利になる。その適応な周波数は１〜２０MHZの範囲であり、特定周波数や多重周波数への適応、或いは様々なパッケージおよび異なる材質の内容物、例えば金属や、液体、ガラス、プラスチックなどに配合できる。
【００３１】
本実施例のように、コンベヤ１１上に整流手段２０が設けられ、該整流手段２０は行進ガイド板２１、ガイド板ホルダ２２およびガイド板調整機２３が設けられ、該行進ガイド板２１が該搬送手段１０のコンベヤ１１に載せられ、該行進ガイド板２１の一側にガイド板調整機２３が接続され、該行進ガイド板２１の位置を調整し、該ガイド板調整機２３の一端にガイド板ホルダ２２が接続され、該ガイド板ホルダ２２がコンベヤ１１の下方に固定され、行進ガイド板２１の位置を固定させる。
【００３２】
本実施例は、ボトル４０の電子タグ３２の取り付け位置をテストすることを例として、行進ガイド板２１により行進路線を調整し、コンベヤ１１の搬送速度およびテスト距離を調整して、テスト用ボトル４０上に電子タグ３２を取り付け、該読み取りシステム３０の読み取り器３１により該電子タグ３２が発信するデータを読み取り、パソコンシステム３３内に転送しテストデータを収集し、最適な取り付け位置を判断し、ここで、該パソコンシステム３３内にスタティック／ダイナミックテストソフトウェアが保存され、テストフローおよび動作を起動させ、そのテスト工程をモニタする。
【００３３】
また、該スタティック／ダイナミックテストソフトウェアの中にスタティック最大読取距離テスト、ダイナミック最大読取距離テストおよびダイナミック読取率に対しての三つのテスト方法が設けられる。
【００３４】
そのうち、該スタティック最大読取距離テストは、変速可能なコンベヤ１１に測定すべき物が載せられ、高周波読み取り器３１の固定の箇所との相対距離に対して、スタティック／ダイナミックテストソフトウェアで該電子タグ３２が発信する信号データを読取可能か否かをテストする。
【００３５】
前記相対距離で電子タグ３２のデータを安定的に読み取ることができれば、さらに両者の距離を増加して、データを安定的に読み取ることができなくなるまでに至ると、一つ前の測定相対距離は、スタティック最大読取距離である。
【００３６】
ダイナミック最大読取距離テストは、変速可能なコンベヤ１１に測定すべき物が載せられ、行進ガイド板２１の両側の距離を調整し、測定すべき物が変速可能なコンベヤ１１上に移動される時に、高周波読み取り器３１の固定の箇所の相対距離と所定距離を保持する。
【００３７】
そして、変速可能なコンベヤ１１（速度はテスト要求に応じて定められる）を起動し、スタティック／ダイナミックテストソフトウェアで該電子タグ３２のデータを読取可能か否かをテストし、前記相対距離で電子タグ３２のデータを安定的に読み取ることができれば、さらに両者の距離を増加して、データを安定的に読み取ることができなくなるまでに至ると、一つ前の測定相対距離は、ダイナミック最大読取距離である。
【００３８】
また、ダイナミック読取率は、変速可能なコンベヤ１１に測定すべき物が載せられ、行進ガイド板２１の両側の距離を調整し、測定すべき物が変速可能なコンベヤ１１上に移動される時に、高周波読み取り器３１の固定の箇所の相対距離と所定距離を保持し、そして、変速可能なコンベヤ１１（速度はテスト要求に応じて定められる）を起動し、スタティック／ダイナミックテストソフトウェアで該電子タグ３２のデータを読取可能か否かをテストし、変速可能なコンベヤ１１上の測定すべき物が高周波読み取り器３１の固定の箇所を通過する総数を読み取られたRFIDタグ３２の総数で割って得るものである。
【００３９】
図３は、本発明に係る電子タグのテスト方法を示すフローチャートであり、該方法は、パソコンシステムと読み取りシステムとを接続させ、パソコンシステムのソフトウェアを起動するシステム起動ステップ５１と、整流手段中の行進ガイド板の一側にガイド板調整機が接続され、該ガイド板調整機の一端にガイド板ホルダが接続され、該ガイド板ホルダがコンベヤの下方に固定され、該行進ガイド板がコンベヤに載せられ、該読み取りシステムの電子タグが測定すべき物に取り付けられ、該読み取りシステムの読み取り器が該搬送手段に設けられ、該整流手段中の測定しようとする距離および測定すべきものの位置を位置決めさせ、並びに搬送手段の速度を設定するテスト条件設定ステップ５２と、ソフトウェア処理を実行させ、搬送手段を起動し、かつ読み取り器および電子タグの検知動作を実行するとともに、検知結果をパソコンシステムに転送する測定開始ステップ５３と、パソコンシステムにより最適な電子タグ取り付け位置を判断する取り付け位置選出ステップ５４とを含む。
【００４０】
以上から分かるように、本発明は、以下の利点がある。
（１）RFID高周波性能テスト結果の再現性を大幅に向上する外には、測定の便利性および実用性をも向上させる。
（２）本装置の適応な周波数範囲は１〜２０MHZに達することができ、特定周波数や多重周波数への適応、或いは様々なパッケージおよび異なる材質の内容物、例えば金属や、液体、ガラス、プラスチックなどに配合できる。
（３）本装置により最適な電子タグ取り付け位置を探し出せる。
【００４１】
前記に開示された構成は、単に本発明の好ましい実施例に過ぎなく、いずれの当該分野における通常の知識を有する専門家が本発明の分野の中で、適当に変換や修飾などを実施できるが、それらの実施のことが本発明に含まれることは言うまでもない。
【００４２】
以上のように、本発明は、最適な電子タグ取り付け位置を効率的に探し出し、測定の便利性および実用性をも向上させる電子タグのテスト装置およびその方法である。
【図面の簡単な説明】
【００４３】
【図１】本発明に係る電子タグのテスト装置の構造を示す図である。
【図２】本発明に係る電子タグのテスト装置の構造の実施例を示す図である。
【図３】本発明に係る電子タグのテスト方法を示すフローチャートである。
【符号の説明】
【００４４】
１０  搬送手段
１１  コンベヤ
２０  整流手段
２１  行進ガイド板
２２  ガイド板ホルダ
２３  ガイド板調整機
３０  読み取りシステム
３１  読み取り器
３２  電子タグ
３３  パソコンシステム
４０  ボトル
５１  システム起動ステップ
５２  テスト条件設定ステップ
５３  測定開始ステップ
５４  取り付け位置選出ステップ
【図１】
2008269355.tif 000003
【図２】
2008269355.tif 000004
【図３】
2008269355.tif 000005